(57)【要約】【課題】振動モータを用いて微振動させることで、灰の飛散を防止し、かつ、灰をきめ細かな状態にすることができる灰ふるい器を提供することを目的とする。【解決手段】灰をすくうためのネット部、および、先端に前記ネット部が取り付けられた把持部からなる灰ふるい器であって、前記把持部は、振動モータおよび電池を内蔵し、前記振動モータのＯＮ・ＯＦＦを切り替えるスイッチユニットが設けられており、前記ネット部は、前記振動モータによって振動が加えられて振動する。【選択図】図１
2017164063.tif 000002
【特許請求の範囲】
【請求項１】
灰をすくうためのネット部、および、先端に前記ネット部が取り付けられた把持部からなる灰ふるい器であって、
前記把持部は、振動モータおよび電池を内蔵し、前記振動モータのＯＮ・ＯＦＦを切り替えるスイッチユニットが設けられており、
前記ネット部は、前記振動モータによって振動が加えられて振動することを特徴とする灰ふるい器。
【請求項２】
前記ネット部は、ネットが取り付けられたリング状の枠、および、前記枠から前記把持部へと延伸するアーム部から構成されることを特徴とする請求項1に記載の灰ふるい器。
【請求項３】
前記把持部は、筒状の本体、前記本体の先端に取り付けられたネット保持キャップ、および、前記本体の後端に取り付けられた後部キャップから構成され、
前記本体内に、前記振動モータおよび前記電池が収容され、
前記ネット保持キャップは、前記本体の先端の開口を閉塞し、前記ネット部が固定されており、前記振動モータの振動を前記ネット部へと伝達し、
前記後部キャップは、前記本体の後端の開口に、着脱可能に取り付けられており、前記後部キャップを取り外すと、前記電池を出し入れできることを特徴とする請求項１または２に記載の灰ふるい器。
【請求項４】
前記スイッチユニットは、
前記振動モータと電気的に接続される、導電性を有する筒状のスリーブ、
前記スリーブの外周面に絶縁層を介して所定の間隔で配置され、前記電池と電気的に接続されている銅箔、および、
前記ネット保持キャップに設けられた開口から外部に突出し、前記ネット保持キャップ内に位置する部分が前記銅箔と当接するキートップを有し、
前記キートップの外部に突出している部分を押圧している間、前記銅箔は前記スリーブと当接して電気的に接続されることで、前記振動モータがＯＮ状態となり、
前記キートップの押圧を停止すると、前記銅箔が前記スリーブから離れて電気的接続が解除され、前記振動モータはＯＦＦ状態となることを特徴とする請求項３に記載の灰ふるい器。
【発明の詳細な説明】
【技術分野】
【０００１】
本発明は、線香立ての残滓を取り除き、灰を綺麗な状態にするための灰ふるい器に関する。
【背景技術】
【０００２】
線香立てを使用していると、線香立ての灰の中には線香およびマッチの燃え残りである残滓が溜まってくることから、適宜、灰から残滓を取り除く作業が必要となる。灰から残滓を取り除くために、これまでは柄のついたふるい器で線香立ての中の灰をすくい、その後、手動でふるい器を振動させて灰をふるい、ふるい器に残った線香、マッチの燃え残りを廃棄していた。
【０００３】
このような作業を行う際に、灰が飛散するのを防止するための器具等（特許文献１、特許文献２）も存在する。
【先行技術文献】
【特許文献】
【０００４】
【特許文献１】特開２００７−１７５４７２号公報
【特許文献２】特開２０１１−５６２０６号公報
【発明の概要】
【発明が解決しようとする課題】
【０００５】
従来のふるい器は、灰をふるために手で振動させた場合、灰が周囲に飛散し易いことから、ふるい作業が終わった後に、さらに周囲を掃除する必要があった。また、線香立てを使用していると、線香立ての中の灰が固まり線香を立て難くなることから、線香を立てる際に固まった灰を棒又は指などでほぐす作業が必要となるが、このような作業を行う際にも灰が飛散し、周囲が汚れるという問題があった。
【０００６】
そこで、本発明は、振動モータを用いて灰ふるい器を微振動させることで、灰の飛散を防止し、かつ、固まった灰をほぐして、きめ細かな状態にすることができる灰ふるい器を提供することを目的とする。
【課題を解決するための手段】
【０００７】
本発明の灰ふるい器は、灰をすくうためのネット部、および、先端に前記ネット部が取り付けられた把持部からなる灰ふるい器であって、前記把持部は、振動モータおよび電池を内蔵し、前記振動モータのＯＮ・ＯＦＦを切り替えるスイッチユニットが設けられており、前記ネット部は、前記振動モータによって振動が加えられて振動することを特徴とする。
【０００８】
前記ネット部は、ネットが取り付けられたリング状の枠、および、前記枠から前記把持部へと延伸するアーム部から構成される。
【０００９】
前記把持部は、筒状の本体、前記本体の先端に取り付けられたネット保持キャップ、および、前記本体の後端に取り付けられた後部キャップから構成され、前記本体内に、前記振動モータおよび前記電池が収容され、前記ネット保持キャップは、前記本体の先端の開口を閉塞し、前記ネット部が固定されており、前記振動モータの振動を前記ネット部へと伝達し、前記後部キャップは、前記本体の後端の開口に、着脱可能に取り付けられており、前記後部キャップを取り外すと、前記電池を出し入れすることができる。
【００１０】
前記スイッチユニットは、前記振動モータと電気的に接続される、導電性を有する筒状のスリーブ、前記スリーブの外周面に絶縁層を介して所定の間隔で配置され、前記電池と電気的に接続されている銅箔、および、前記ネット保持キャップに設けられた開口から外部に突出し、前記ネット保持キャップ内に位置する部分が前記銅箔と当接するキートップを有し、前記キートップの外部に突出している部分を押圧している間、前記銅箔は前記スリーブと当接して電気的に接続されることで、前記振動モータがＯＮ状態となり、前記キートップの押圧を停止すると、前記銅箔が前記スリーブから離れて電気的接続が解除され、前記振動モータはＯＦＦ状態となる。
【発明の効果】
【００１１】
本発明の灰ふるい器は、灰をすくうためのネット部、および、先端に前記ネット部が取り付けられた把持部からなる灰ふるい器であって、前記把持部は、振動モータおよび電池を内蔵し、前記振動モータのＯＮ・ＯＦＦを切り替えるスイッチユニットが設けられており、前記ネット部は、前記振動モータによって振動が加えられて振動することにより、前記ネット部で灰をすくい、スイッチユニットをＯＮに前記振動モータが作動して前記ネット部に微振動が加えられ、灰が飛散することなく、残滓を取り除くことが可能となり、またふるいをかけた灰をきめ細かな状態にすることができる。
【００１２】
前記スイッチユニットは、前記振動モータと電気的に接続される、導電性を有する筒状のスリーブ、前記スリーブの外周面に絶縁層を介して所定の間隔で配置され、前記電池と電気的に接続されている銅箔、および、前記ネット保持キャップに設けられた開口から外部に突出し、前記ネット保持キャップ内に位置する部分が前記銅箔と当接するキートップを有し、前記キートップの外部に突出している部分を押圧している間、前記銅箔は前記スリーブと当接して電気的に接続されることで、前記振動モータがＯＮ状態となり、前記キートップの押圧を停止すると、前記銅箔が前記スリーブから離れて電気的接続が解除され、前記振動モータはＯＦＦ状態となることにより、灰をすくった後、前記把持部を手で持った状態で簡単に前記振動モータをＯＮ状態とすることができるようになり、必要な時に前記ネット部に振動を加えることができ、また、振動させたくない時には簡単に前記振動モータをＯＦＦ状態とすることができるようになる。
【図面の簡単な説明】
【００１３】
【図１】本発明の灰ふるい器の斜視図である。
【図２】本発明の灰ふるい器の平面図である。
【図３】本発明の灰ふるい器の断面図である。
【図４】スイッチユニットを中心とした部分断面図である。
【図５】銅箔の斜視図である。
【発明を実施するための形態】
【００１４】
本発明の灰ふるい器１について図を用いて以下に詳細に説明する。図１が灰ふるい器１の斜視図であり、図２が平面図、図３が断面図である。
【００１５】
本発明の灰ふるい器１は、線香立て等の灰をすくい、灰の中にある線香およびマッチの燃え残りである残滓を取り除くための道具であり、図１〜３に示すように、灰をすくうためのネット部２、および、先端に前記ネット部２が取り付けられた把持部３からなり、前記把持部３に内蔵された振動モータ１１によって前記ネット部２を微振動させることで灰をふるうことができる。
【００１６】
前記ネット部２は、図１〜３に示すように、ネット５が取り付けられたリング状の枠４、および、前記枠４から延伸し、前記把持部３に固定されるアーム部６から構成されており、前記アーム部６は、図３に示すように途中で折れ曲がっていることで、前記ネット部２で灰をすくい易くなっている。前記ネット５は、円形の底面と円筒状の側面とから構成されているが、半球形状等、他の形状とすることも可能であり、前記枠４の形状についても他の形状とすることも可能である。そして、前記アーム部６についても折れ曲がった形状に限定するものではなく、直線形状、湾曲形状とすることも可能である。
【００１７】
図３に示すように、前記把持部３は、筒状の本体７、前記本体７の先端に取り付けられたネット保持キャップ８、および、前記本体７の後端に取り付けられた後部キャップ９から構成されている。図３に示すように、前記本体７は、前記振動モータ１１、および、前記振動モータ１１の電源となる電池１２を内蔵しており、前記本体７は、前記電池１２を収容するために円筒形状を有している。
【００１８】
前記ネット保持キャップ８は、前記本体７の先端の開口を閉塞し、そして、前記ネット部２を固定するために用いられる。前記ネット保持キャップ８の先端は半球形状を有しており、内面には、前記本体７に向かって突出している保持部１４が形成されており、前記保持部１４の中央には外部から内部へと貫通している貫通孔が設けられている。前記ネット部２のアーム部６は、前記ネット保持キャップ８の保持部１４の貫通孔へと挿入された状態で固定されている。前記ネット部２が固定された前記ネット保持キャップ８を前記本体７に取付けると、前記ネット部２が前記把持部３に固定された状態となり、前記振動モータ１１の振動は前記ネット保持キャップ８を介して前記ネット部２へと伝達される。
【００１９】
前記後部キャップ９は、前記本体７の後端の開口に、突起等の係合を用いて着脱可能に取り付けられており、内面には、前記本体７に向かって突出している電池端子１３が形成されている。図３に示すように、前記本体７内に前記電池１２を収容した状態で、前記後部キャップ９を、前記本体７の後端に取付けると、前記電池端子１３は、前記電池１２のプラス端子と当接して保持することになる。そして、前記後部キャップ９は着脱可能であることから、前記電池１２を交換する際には、前記後部キャップ９を取り外すことで、簡単に前記電池１２を交換することができる。前記把持部３の形状については、図示した形状に限定するものではなく、前記本体７を角筒形状とし、前記ネット保持キャップ８および前記後部キャップ９を、前記本体７に合わせた形状とすることも可能である。
【００２０】
前記スイッチユニット１０は、図４に示すように、前記把持部３のネット保持キャップ８に設けられており、ＳＵＳからなる導電性を有する筒状のスリーブ１７、前記スリーブ１７の外周面に絶縁層１８を介して所定の間隔で配置された銅箔１６、および、前記銅箔１６と当接するキートップ１５から構成される。前記スリーブ１７は、前記ネット保持キャップ８内に配置され、前記ネット保持キャップ８に合わせて円筒形状を有し、前記振動モータ１１と電気的に接続されている。また、前記振動モータ１１は前記電池１２のマイナス端子と電気的に接続されている。
【００２１】
前記銅箔１６は、図５に示すように、前記スリーブ１７の表面に合わせた曲面形状を有しており、前記スリーブ１７と対向する面の一部（図５では左右２箇所）に前記絶縁層１８が取り付けられている。これにより、前記銅箔１６は所定の間隔を有して、前記ネット保持キャップ８の内周面と、前記スリーブ１７の外周面との間に配置されている。そして、前記銅箔１６は前記電池１２のプラス端子と電気的に接続されている。
【００２２】
前記キートップ１５は、前記ネット保持キャップ８に設けられた開口から外部に突出する凸形状を有し、前記ネット保持キャップ８内に位置する部分が前記銅箔１６の表面と当接するように配置されている。そして、前記キートップ１５は、使用者が前記把持部３を手で持った状態で、前記把持部３を持っている手の親指で押圧することができる位置に配置されている。これにより、使用者は、灰をすくい、ふるう動作を行う際に、前記灰ふるい器１を持ちかえることなく、前記スイッチユニット１０によるＯＮ・ＯＦＦ動作を行うことができる。
【００２３】
前記銅箔１６は、前記キートップ１５が当接する場所の反対側の表面と、前記スリーブ１７の外周面との間に空間が存在しており、前記絶縁層１８が配置されていない部分となっている。そして、前記銅箔１６は、前記キートップ１５によって押圧された時に前記スリーブ１７と当接する部分（図５において円で示す部分）を研摩してコーティング等を剥離することで導電性を高めている。
【００２４】
前記スイッチユニット１０は、前記キートップ１５の外部に突出している部分を押圧すると、前記キートップ１５によって前記銅箔１６が押圧されて変形し、前記銅箔１６の一部（図５において円で示す部分）が前記スリーブ１７と当接する状態となる。これにより、前記銅箔１６と前記スリーブ１７は電気的に接続され、前記電池１２から前記振動モータ１１へと電気が流れて前記振動モータ１１はＯＮ状態となって微振動が生じる。前記振動モータ１１の微振動により、前記把持部３全体が微振動し、その後、前記アーム部６、前記枠４を介して前記ネット５に微振動が伝達されることで、前記ネット部２に微振動が生じる。
【００２５】
前記キートップ１５への押圧を解除すると、前記銅箔１６は前記スリーブ１７の表面から離れるので、前記銅箔１６と前記スリーブ１７との電気的接続は解除され、前記振動モータ１１への電気の供給が遮断されることになり、前記振動モータ１１はＯＦＦ状態となって、微振動が停止される。
【００２６】
このように、本発明の灰ふるい器１は、スイッチユニット１０のキートップ１５を指で押圧している間は、前記振動モータ１１がＯＮ状態となり、前記ネット部２をｂ振動させることができ、前記キートップ１５から指を離すと、前記振動モータ１１はＯＦＦ状態となり、前記ネット部２の微振動は停止する。これにより、前記把持部３を持った状態で、簡単に前記ネット部２を振動させ、そして、停止することができるので、前記把持部３を持ちかえることなく、灰をふるう時にだけ簡単に振動を加えることができる。そのため、前記ネット部２を振動させた状態で、線香立てから灰をすくったりする必要が無いことから、灰の飛散をより確実に防止することができる。
【００２７】
本発明の灰ふるい器１は、前記振動モータ１１により前記ネット部２に微振動を加えることができるので、塊の状態になった灰であっても、簡単にきめ細かな状態にすることができるので、線香立ての灰を綺麗な状態にすることができる。
【符号の説明】
【００２８】
１      灰ふるい器
２      ネット部
３      把持部
４      枠
５      アーム部
６      ネット
７      本体部
８      ネット保持キャップ
９      後部キャップ
１０    スイッチユニット
１１    振動モータ
１２    電池
１３    電池端子
１４    保持部
１５    キートップ
１６    銅箔
１７    スリーブ
１８    絶縁層
【図１】
2017164063.tif 000003
【図２】
2017164063.tif 000004
【図３】
2017164063.tif 000005
【図４】
2017164063.tif 000006
【図５】
2017164063.tif 000007